(57)【特許請求の範囲】
【請求項１】
マスタシリンダ（Ｍ1 ，Ｍ2 ）のシリンダ体（１１1 ，１１2 ）に、その上部外面から突出する円筒状のボス（１２1 ，１２2 ）が設けられ、シリンダ体（１１1 ，１１2 ）に取付けられるリザーバ（Ｒ1 ，Ｒ2 ）に設けられた補給筒（１７1 ，１７2 ）がグロメット（１５）を介して前記ボス（１２1 ，１２2 ）に嵌合され、前記シリンダ体（１１1 ，１１2 ）に摺動可能に嵌合されるピストン（２２1 ，２２2 ）の後退限を規制するピン部材（４０，６１）が、その一端を前記ボス（１２1 ，１２2 ）の内端部に臨ませてシリンダ体（１１1 ，１１2 ）に嵌合される、マスタシリンダおよびリザーバの組立体において、補給筒（１７1 ，１７2 ）の少なくともシリンダ体（１１1 ，１１2 ）側の端部内面には、ピン部材（４０，６１）の一端が入り込むことを阻止する形状の作動液流通路（４６2 ）を補給筒（１７1 ，１７2 ）の内面との間に形成する規制部（４５2 ）を、該規制部（４５2 ）と補給筒（１７1 ，１７2 ）の内面との間の最大間隔（Ｗ）がピン部材（４０，６１）の直径（Ｄ）よりも小さくなるように連設し、
この規制部（４５2 ）は、該規制部（４５2 ）による補給筒（１７1 ，１７2 ）の補強効果を高めるべく、補給筒（１７1 ，１７2 ）の軸線に直交する平面内で十字状をなすと共に各先端を補給筒（１７1 ，１７2 ）内面に一体に連結されることを特徴とする、マスタシリンダおよびリザーバの組立体。
【発明の詳細な説明】
【０００１】
【産業上の利用分野】
本発明は、マスタシリンダのシリンダ体に、その上部外面から突出する円筒状のボスが設けられ、シリンダ体に取付けられるリザーバに設けられた補給筒がグロメットを介して前記ボスに嵌合され、前記シリンダ体に摺動可能に嵌合されるピストンの後退限を規制するピン部材が、その一端を前記ボスの内端に臨ませてシリンダ体に嵌合される、マスタシリンダおよびリザーバの組立体に関する。
【０００２】
【従来の技術】
従来、かかる組立体は、たとえば特公昭６２−５８２１号公報等により既に知られている。
【０００３】
【発明が解決しようとする課題】
ところが、上記従来のものでは、ピン部材のシリンダ体からの抜け出しを該ピン部材の一端を補給筒の周壁端面に当接させることにより阻止するようにしており、ピン部材と補給筒すなわちボスとの相対位置が定まってしまい、ピン部材の配設位置に制約が生じる。したがってタンデム型マスタシリンダにおいて一対のピストンのうち一方のピストンのストローク変更に伴って、ピン部材の配設位置をたとえば３ｍｍ程度のわずかな量だけ変更すると、ピン部材およびボスの相対位置が定まっていることに起因して一対のボスの一方の位置をわずかに動かす必要が生じ、それに応じてリザーバも新たに製作する必要が生じることになる。
【０００４】
本発明は、かかる事情に鑑みてなされたものであり、補給筒およびボスに対するピン部材の配設位置の自由度を大きくし得るようにした、マスタシリンダおよびリザーバの組立体を提供することを目的とする。
【０００５】
【課題を解決するための手段】
上記目的を達成するために、請求項１記載の発明は、マスタシリンダのシリンダ体に、その上部外面から突出する円筒状のボスが設けられ、シリンダ体に取付けられるリザーバに設けられた補給筒がグロメットを介して前記ボスに嵌合され、前記シリンダ体に摺動可能に嵌合されるピストンの後退限を規制するピン部材が、その一端を前記ボスの内端に臨ませてシリンダ体に嵌合される、マスタシリンダおよびリザーバの組立体において、補給筒の少なくともシリンダ体側の端部内面には、ピン部材の一端が入り込むことを阻止する形状の作動液流通路を補給筒の内面との間に形成する規制部を、該規制部と補給筒の内面との間の最大間隔がピン部材の直径よりも小さくなるように連設し、この規制部は、該規制部による補給筒の補強効果を高めるべく、補給筒の軸線に直交する平面内で十字状をなすと共に各先端を補給筒内面に一体に連結されることを特徴とする。
【０００６】
【作用】
上記構成によれば、補給筒の内面および規制部間に形成される作動液流通路にピン部材の一端が入り込むことはなく、シリンダ体から離脱する方向へのピン部材の移動が補給筒の周壁端面および規制部の少なくとも一方によって阻止されることになり、補給筒の直径に対応する範囲であればいずれの位置にピン部材が配設されてもよいことになる。
【０００７】
また規制部が十字状に形成されることにより、規制部による補給筒の補強効果を高めることができて、補給筒の半径方向に沿う強度を向上させることができ、これにより、リザーバのマスタシリンダへの組付時（即ち補給筒をグロメットを介してボスに嵌合させる時）に補給筒が変形したり或いは初期の作動液充填直前に空気抜きのために行なう真空引き時に補給筒のシリンダ体側の端部が内方側に変形したりするのを防止できる。
【０００８】
【実施例】
以下、図面により参考例および本発明の実施例について説明する。
【０００９】
図１ないし図４は参考例を示すものであり、図１はマスタシリンダおよびリザーバの組立体の一部切欠き縦断側面図、図２は図１の要部拡大図、図３は図２の３−３線断面図、図４は図２の４−４線断面図である。
【００１０】
先ず図１において、タンデム型であるマスタシリンダＭ1 のシリンダ体１１1 における上部には、円筒状に形成される前部ボス１２1 および後部ボス１３1 がシリンダ体１１1 の軸線方向に間隔をあけた位置で上方に突出するようにして一体に設けられるとともに、両ボス１２1 ，１３1 間の中間部で上方に突出する平板状の連結腕１４1 が一体に設けられる。
【００１１】
このマスタシリンダＭ1 には、合成樹脂から成るリザーバＲ1 が取付られるものであり、該リザーバＲ1 の下部には、前記シリンダ体１１1 の前部および後部ボス１２1 ，１３1 にグロメット１５，１６を介してそれぞれ嵌合される円筒状の前部および後部補給筒１７1 ，１８1 と、前記シリンダ体１１1 の連結腕１４1 にその側方で当接する平板状の連結腕１９1 とが一体に設けられ、連結腕１９1 は連結腕１４1 にボルト２０によって締着される。
【００１２】
シリンダ体１１1 には、該シリンダ体１１1 の前端壁との間に前部液圧室２１1 を形成する前部ピストン２２1 と、該前部ピストン２２1 との間に後部液圧室２３1 を形成する後部ピストン２４1 とが摺動可能に嵌合される。またシリンダ体１１1 には、前部液圧室２１1 に通じる前部出力ポート２５1 と、後部液圧室２３1 に通じる後部出力ポート（図示せず）とが設けられる。さらに前部液圧室２１1 には前部ピストン２２1 を後方側に付勢する前部戻しばね２６1 が収納され、後部液圧室２３1 で前部ピストン２２1 および後部ピストン２４1 間には後部ピストン２４1 をその後方側に向けて付勢する戻しばね２７1 が縮設される。
【００１３】
図２および図３を併せて参照して、前部ピストン２２1 は、前後一対のピストン部２２ａ，２２ｂがロッド部２２ｃを介して一体に連設されて成るものであり、前方側のピストン部２２ａには、該ピストン部２２ａを前後に貫通する複数の補給孔２８1 …が穿設され、それらの補給孔２８1 …を前方側から覆う環状のスペーサ２９と、補給孔２８1 …側から前部液圧室２１1 側への作動液の流入を許容してシリンダ体１１1 の内面に摺接するカップシール３０1 とがピストン部２２ａの前面側に装着される。また後方側のピストン部２２ｂにはシリンダ体１１1 の内面に摺接するカップシール３１1 が装着される。
【００１４】
前部ピストン２２1 およびシリンダ体１１1 間で前後一対のピストン部２２ａ，２２ｂ間には補給液室３２1 が環状に形成されており、この補給液室３２1 に常時通じて前部ボス１２1 内に開口する補給ポート３３がシリンダ体１１1 に穿設され、リザーバＲ1 の前部補給筒１７1 から補給される作動液が補給液室３２1 に供給されることになる。
【００１５】
前部ピストン２２1 には、該前部ピストン２２1 が後退限位置に戻ったときに前部液圧室２１1 および補給液室３２1 間を連通させる中心型のリリーフ弁３５が設けられる。このリリーフ弁３５は、前部ピストン２２1 の前端部に同軸に装着される弁函３６と、補給液室３２1 に通じて前部ピストン２２1 のピストン部２２ａに同軸に穿設されるとともに弁函３６内で前記ピストン部２２ａの前端部に開口する弁孔３７と、弁孔３７の前端開口部を閉鎖可能として弁函３６内に前後動可能に収納される弁体３８と、弁体３８を後方すなわち弁孔３７の閉鎖方向に付勢するばね力を発揮して弁函３６内に収納される弁ばね３９と、前部ピストン２２1 が後退限にあるときには弁体３８を弁ばね３９のばね付勢力に抗して前進位置に保持するが前部ピストン２２1 の前進時には弁ばね３９による弁体３８の後退動作すなわち閉弁動作を許容する開弁棒４０とを備える。
【００１６】
前部ピストン２２1 のロッド部２２ｃには、該ロッド部２２ｃの軸方向に長い長孔４１が設けられ、該長孔４１の両端は補給液室３２1 に連通される。開弁棒４０は、その両端をシリンダ体１１1 で支持されて長孔４１に挿通されており、弁体３８に連設されて弁孔３７に挿通されるロッド４２の後端が開弁棒４０に当接される。
【００１７】
このようなリリーフ弁３５によれば、前部ピストン２２1 が後退限に在るときには開弁棒４０でロッド４２が押圧されることにより弁体３８が弁孔３７を開放する位置となって開弁し、補給液室３２1 からの補給液を前部液圧室２１1 に補給可能となる。また前部ピストン２２1 が後退限から前進すると、開弁棒４０が長孔４１内の後方に位置するように前部ピストン２２1 に対して相対移動することにより、弁体３８が弁ばね３９のばね力により弁孔３７を閉鎖する位置まで移動し、補給液室３２1 および前部液圧室２１1 間が遮断される。
【００１８】
ところで、開弁棒４０は、前部ピストン２２1 の後退限を規制するピン部材としての機能を果すものであり、シリンダ体１１1 には、前部ボス１２1 の内端に開口してシリンダ体１１1 の側壁を貫通する支持孔４３と、該支持孔４３と同軸にして袋孔に形成される支持孔４４とが穿設されており、開弁棒４０は、その一端部を前部ボス１２1 の内端部に臨ませるようにして支持孔４３，４４に嵌合される。
【００１９】
図４を併せて参照して、支持孔４３，４４に嵌合された状態に在る開弁棒４０のシリンダ体１１1 からの離脱を阻止するために、リザーバＲ1 における前部補給筒１７1 のシリンダ体１１1 側の端部内面には、該前部補給筒１７1 の一直径線に沿って延びる規制部４５1 が連設されており、該規制部４５1 の両側には前部補給筒１７1 の内面との間に作動液流通路４６1 ，４６1 が形成される。しかも前部補給筒１７1 の内面と規制部４５1 との間の最大間隔Ｗ（図４参照）は、開弁棒４０の直径Ｄ（図３参照）よりも小さく設定されており、これにより、作動液流通路４６1 ，４６1 は開弁棒４０の一端がそれらの流通路４６1 ，４６1 内に入り込むことを阻止する形状に形成されることになる。
【００２０】
再び図１において、後部ピストン２４1 には、シリンダ体１１1 の後端部に嵌着された軸受部材４７1 で摺動自在に支承されるピストンロッド４８1 が同軸にかつ一体に連設される。而して後部ピストン２４1 と軸受部材４７1 との間には環状の補給液室４９1 が画成される。一方、補給液室４９1 よりも前方位置で後部ピストン２４1 の外周には補給液室４９1 から後部液圧室２３1 への作動液の流通を許容するカップシール５０1 が装着されており、後部ピストン２４1 には、補給液室４９1 をカップシール５０1 の背面に連通させる複数の補給孔５１1 …が穿設される。またシリンダ体１１1 には、補給液室４９1 に常時通じて後部ボス１３1 内に開口する補給ポート５２が穿設されており、リザーバＲ1 の後部補給筒１８1 から補給される作動液が補給液室４９1 に供給されることになる。
【００２１】
後部ピストン２４1 には、補給液室４９1 および後部液圧室２３1 間に介在される中心型のリリーフ弁５３が設けられており、このリリーフ弁５３は、前部ピストン２２1 に設けられたリリーフ弁３５と基本的に同一の構成を有するので詳細な説明を省略するが、リリーフ弁５３の構成要素である開弁棒５４は、後部ピストン２４1 に設けられた長孔５５に挿通され、ピストンロッド４８1 を囲繞する支持リング５６で開弁棒５４の両端が支持される。しかも後部ピストン２４1 および支持リング５６間には、明瞭には図示されないがばねが縮設されており、そのばね力により支持リング５６は軸受部材４７1 で受けられる方向に付勢されている。すなわち支持リング５６は、軸受部材４７1 に当接した位置に固定的に配置されるものであり、実質的には固定位置に在る。
【００２２】
さらに前部および後部ピストン２２1 ，２４1 間にはそれらのピストン２２1 ，２４1 間の最大間隔を規制する最大間隔規制手段５７1 が設けられる。
【００２３】
次にこの参考例の作用について説明すると、ピストンロッド４８1 に操作力を加えて後部ピストン２４1 を前進作動させると、リリーフ弁５３が閉弁するとともに後部戻しばね２７1 を介して前部ピストン２２1 に前進方向の押圧力が作用し、前部ピストン２２1 の前進作動に伴ってリリーフ弁３５が閉弁して前部液圧室２１1 に液圧が発生する。次いで後部ピストン２４1 の更なる前進作動に応じて後部液圧室２３1 に液圧が発生し、両液圧室２１1 ，２３1 の発生液圧がブレーキ液圧として図示しない車輪ブレーキに供給されることになる。
【００２４】
ピストンロッド４８1 への操作力作用を解除すると、両戻しばね２６1 ，２７1 のばね力により前部および後部ピストン２２1 ，２４1 は後退作動せしめられる。而して前部ピストン２２1 の後退限は開弁棒４０によって定まり、また後部ピストン２４1 の後退限は支持リング５６によって定まる。
【００２５】
ところで、開弁棒４０は、その一端部を前部ボス１２1 の内端部に臨ませてシリンダ体１１1 に嵌合されるものであり、該開弁棒４０のシリンダ体１１1 からの離脱は前部ボス１２1 にグロメット１５を介して嵌合される前部補給筒１７1 により阻止されるのであるが、前部補給筒１７1 のシリンダ体１１1 側の端部内面には作動液流通路４６1 ，４６1 を前部補給筒１７1 の内面との間に形成する規制部４５1 が連設されており、作動液流通路４６1 ，４６1 は、開弁棒４０の一端部がそれらの流通路４６1 ，４６1 内に入り込むことを阻止する形状に形成されている。すなわちシリンダ体１１1 から離脱する方向への開弁棒４０の移動が補給筒１７1 の周壁端面および規制部４５1 の少なくとも一方によって阻止されることになる。したがって前部補給筒１７1 の直径に対応する範囲であればいずれの位置に開弁棒４０が配設されても開弁棒４０のシリンダ体１１1 からの離脱を阻止することができ、前部補給筒１７1 および前部ボス１２1 に対する開弁棒４０の配設位置の自由度を大きくすることが可能となる。この結果、両ピストン２２1 ，２４のうち前部ピストン２２1 のストロークを変更しても、そのストローク変更に伴なう開弁棒４０の移動が前部ボス１２1 内に限定される限り、両ボス１２1 ，１３1 間の距離を変更する必要はなく、したがってリザーバＲ1 を新たに製作する必要もない。
【００２６】
図５は前記参考例の変形例を示すものであり、前部補給筒１７1 に設けられる規制部４５1 が、前部補給筒１７1 のシリンダ体１１1 側の端部から前部補給筒１７1 の軸線に沿って比較的長い距離にわたって設けられていてもよい。
【００２７】
図６は本発明の実施例を示すものであり、前記参考例に対応する部分には同一の参照符号の説明を付す。
【００２８】
前部補給筒１７1 のシリンダ体１１1 側の端部内面には、該補給筒１７1 の軸線に直交する平面内で十字状に形成される規制部４５2 が連設され、該規制部４５2 および前部補給筒１７1 の内面間には４つの作動液流通路４６2 ，４６2 …が形成される。しかも各作動液流通路４６2 ，４６2 …は開弁棒４０（第１実施例参照）の一端がそれらの流通路４６2 ，４６2 …内に入り込むことを阻止する形状に形成されている。
【００２９】
この実施例によれば、前記参考例と同様の効果を奏した上に、規制部４５2 が十字状に形成されることにより、該規制部４５2 に補強リブとしての機能を果たさせることができ、前部補給筒１７1 の半径方向に沿う強度を向上することができる。これによりリザーバのマスタシリンダへの組付時に前部補給筒１７1 が変形したり、初期の作動液充填直前に空気抜きのために行なう真空引き時に前部補給筒１７1 の少なくともシリンダ体１１1 側の端部が内方側に変形してリザーバがマスタシリンダから抜け易くなることを防止することができる。
【００３０】
図７は本発明の別の実施例を示すものであり、タンデム型マスタシリンダＭ2 のシリンダ体１１2 における上部には、円筒状である前部および後部ボス１２2 ，１３2 と、平板状の連結腕１４2 とが一体に設けられ、合成樹脂製のリザーバＲ2 には、前部および後部ボス１２2 ，１３2 にグロメット１５，１６を介してそれぞれ嵌合される円筒状の前部および後部補給筒１７2 ，１８2 と、前記連結腕１４2 にボルト２０によって締着される連結腕１９2 とが一体に設けられる。
【００３１】
シリンダ体１１2 には、前部出力ポート２５2 に通じるとともに前部戻しばね２６2 が収納される前部液圧室２１2 に前面を臨ませる前部ピストン２２2 と、後部戻しばね２７2 を収納させた後部液圧室２３2 を前部ピストン２２2 との間に形成する後部ピストン２４2 とが摺動可能に嵌合される。
【００３２】
前部ピストン２２2 およびシリンダ体１１2 間には環状の補給液室３２2 が形成されており、該補給液室３２2 よりも前方側で前部ピストン２２1 に補給液室３２2 に通じる複数の補給孔２８2 …が穿設され、それらの補給孔２８2 …の前方側で前部ピストン２２2 には、シリンダ体１１2 の内面に摺接するカップシール３０2 が装着される。また補給液室３２2 よりも後方側で前部ピストン２２2 にはシリンダ体１１1 の内面に摺接するカップシール３１2 が装着される。
【００３３】
シリンダ体１１2 には、前記補給液室３２2 に常時通じる補給ポート（図示せず）と、前部ピストン２２2 が後退したときに前部液圧室２１2 に通じるリリーフポート５８とが、前部ボス１２2 内に開口するようにして穿設される。
【００３４】
後部ピストン２４2 には、シリンダ体１１2 の後端部に嵌着された軸受部材４７2 で摺動自在に支承されるピストンロッド４８2 が同軸に連設され、後部ピストン２４1 と軸受部材４７2 との間には環状の補給液室４９2 が画成される。この補給液室４９2 よりも前方位置で後部ピストン２４2 の外周にはカップシール５０2 が装着されており、後部ピストン２４2 には、補給液室４９2 をカップシール５０2 の背面に連通させる複数の補給孔５１2 …が穿設される。
【００３５】
またシリンダ体１１2 には、補給液室４９2 に常時通じる補給ポート５９と、後部ピストン２４2 が後退したときに後部液圧室２３2 に通じるリリーフポート６０とが、後部ボス１３2 内に開口するようにして穿設される。
【００３６】
さらに前部ピストン２２2 および後部ピストン２４2 間にはそれらのピストン２２2 ，２４2 間の最大間隔を規制する最大間隔規制手段５７2 が設けられる。
【００３７】
ところで、後部ピストン２４2 の後退限は軸受部材４７2 で規制されるのであるが、前部ピストン２２2 の後退限は、一端を前部ボス１２2 の内端部に臨ませるようにしてシリンダ体１１2 に嵌合されるピン部材としてのストッパピン６１の他端が、補給液室３２2 の前端側で前部ピストン２２2 に係合することにより規制される。而してストッパピン６１のシリンダ体１１2 からの離脱を阻止するために、リザーバＲ2 における前部補給筒１７2 の少なくともシリンダ体１１2 側の端部には、前部補給筒１７2 の一直径線に沿う十字状の規制部４５2 が設けられる。
【００３８】
この実施例によっても、前部補給筒１７2 および前部ボス１２2 に対するストッパピン６１の配設位置の自由度を大きくすることが可能となる。
【００３９】
以上、本発明の実施例を詳述したが、本発明は上記実施例に限定されるものではなく、特許請求の範囲に記載された本発明を逸脱することなく種々の設計変更を行なうことが可能である。
【００４０】
たとえば本発明は、タンデム型のマスタシリンダに限らず、出力ポートが単一であるマスタシリンダにも適用可能である。
【００４１】
【発明の効果】
以上のように本発明によれば、補給筒の少なくともシリンダ体側の端部内面に、ピン部材の一端が入り込むことを阻止する形状の作動液流通路を補給筒の内面との間に形成する規制部を、該規制部と補給筒の内面との間の最大間隔がピン部材の直径よりも小さくなるように連設したので、補給筒の直径に対応する範囲であればいずれの位置にピン部材が配設されてもピン部材のシリンダ体からの離脱を確実に阻止することができ、補給筒およびボスに対するピン部材の配設位置の自由度を大きくすることができる。
【００４２】
また前記規制部が補給筒の軸線に直交する平面内で十字状に形成されるので、規制部による補給筒の補強効果を高めることができて、補給筒の半径方向に沿う強度を向上させることができ、これにより、リザーバのマスタシリンダへの組付時（即ち補給筒をグロメットを介してボスに嵌合させる時）に補給筒が変形したり或いは初期の作動液充填直前に空気抜きのために行なう真空引き時に補給筒のシリンダ体側の端部が内方側に変形したりするのを防止できる。
【図面の簡単な説明】
【図１】参考例のマスタシリンダおよびリザーバの組立体の一部切欠き縦断側面図
【図２】図１の要部拡大図
【図３】図２の３−３線断面図
【図４】図２の４−４線断面図
【図５】前記参考例の変形例の図２に対応する断面図
【図６】本発明の実施例を示す、図４に対応した断面図
【図７】本発明の別の実施例を示す、図１に対応した一部切欠き縦断側面図
【符号の説明】
１１1 ，１１2 ・・・シリンダ体
１２1 ，１２2 ・・・ボス
１５・・・グロメット
１７1 ，１７2 ・・・補給筒
２２1 ，２２2 ・・・ピストン
４０・・・ピン部材としての開弁棒
４５2 ・・・規制部
４６2 ・・・作動液流通路
６１・・・ピン部材としてのストッパピン
Ｄ・・・・直径
Ｍ1 ，Ｍ2 ・・・マスタシリンダ
Ｒ1 ，Ｒ2 ・・・リザーバ
Ｗ・・・・最大間隔
【図１】
0003751050.tif 000002
【図２】
0003751050.tif 000003
【図３】
0003751050.tif 000004
【図４】
0003751050.tif 000005
【図５】
0003751050.tif 000006
【図６】
0003751050.tif 000007
【図７】
0003751050.tif 000008